(57)【要約】【課題】    本発明の目的は、土木用袋体に中詰め材を効率良く充填できる土木用袋体の製造方法を提供するものである。【解決手段】    土木用袋体の製造方法は、土木用袋体Ｄに中詰め材１を充填して製造する土木用袋体の製造方法であって、土木用袋体Ｄの開口部を介して中詰め材１を充填し、前記開口部を閉じ、土木用袋体Ｄを載置場所２へ載置し、載置場所２へ載置した土木用袋体Ｄの上面Ｄ１の編み地に樹脂材３を付与するものである。【選択図】図３
2019190135.tif 000002
【特許請求の範囲】
【請求項１】
土木用袋体に中詰め材を充填して製造する土木用袋体の製造方法であって、
前記土木用袋体の開口部を介して前記中詰め材を充填し、前記開口部を閉じ、
前記土木用袋体を載置場所へ載置し、前記載置場所へ載置した前記土木用袋体の上面の編み地に樹脂材を付与する
ことを特徴とする土木用袋体の製造方法。
【請求項２】
土木用袋体に中詰め材を充填して製造する土木用袋体の製造方法であって、
前記土木用袋体の開口部を介して前記中詰め材を充填し、前記開口部を閉じ、
前記土木用袋体を載置場所へ載置し、前記載置場所へ載置した前記土木用袋体の上面の編み地に樹脂材を付与し、
付与後、前記土木用袋体の上面が下になるように、前記載置場所へ載置する
ことを特徴とする土木用袋体の製造方法。
【請求項３】
土木用袋体に中詰め材を充填して製造する土木用袋体の製造方法であって、
前記土木用袋体の開口部を介して前記中詰め材を充填し、前記開口部を閉じ、
前記土木用袋体を載置場所へ載置し、前記載置場所へ載置した前記土木用袋体の上面の編み地に樹脂材を付与し、
付与後、前記土木用袋体の上面が下になるように、前記載置場所へ載置し、
載置後、載置した前記土木用袋体の上面の編み地に樹脂材を付与する
ことを特徴とする土木用袋体の製造方法。
【発明の詳細な説明】
【技術分野】
【０００１】
本発明は、土木用袋体の製造方法に係り、特に、土木用袋体に中詰め材を効率良く充填できる土木用袋体の製造方法に関する。
【背景技術】
【０００２】
従来、袋状の編地に樹脂材が付与された土木用袋体がある（例えば、特許文献１参照）。
【先行技術文献】
【特許文献】
【０００３】
【特許文献１】特開２０１５−２０９７４６号公報
【発明の概要】
【発明が解決しようとする課題】
【０００４】
上記した土木用袋体にあっては、袋状の編地に樹脂材が付与されたため、摩耗や衝撃を受けるような環境下でも耐久性に優れる。
ところが、中詰め材が充填される前に、編地に樹脂材が付与されるため、土木用袋体に中詰め材を充填すると、編地の伸びによる変形が上記樹脂材により阻害され、中詰め材を効率良く土木用袋体に充填できないという問題点が生じた。
【０００５】
本発明は、上記問題点を考慮してなされた土木用袋体の製造方法を提供することを目的とする。
【課題を解決するための手段】
【０００６】
請求項１記載の土木用袋体の製造方法は、土木用袋体に中詰め材を充填して製造する土木用袋体の製造方法であって、前記土木用袋体の開口部を介して前記中詰め材を充填し、前記開口部を閉じ、前記土木用袋体を載置場所へ載置し、前記載置場所へ載置した前記土木用袋体の上面の編み地に樹脂材を付与するものである。
【０００７】
また、請求項２記載の土木用袋体の製造方法は、土木用袋体に中詰め材を充填して製造する土木用袋体の製造方法であって、前記土木用袋体の開口部を介して前記中詰め材を充填し、前記開口部を閉じ、前記土木用袋体を載置場所へ載置し、前記載置場所へ載置した前記土木用袋体の上面の編み地に樹脂材を付与し、付与後、前記土木用袋体の上面が下になるように、前記載置場所へ載置するものである。
【０００８】
また、請求項３記載の土木用袋体の製造方法は、土木用袋体に中詰め材を充填して製造する土木用袋体の製造方法であって、前記土木用袋体の開口部を介して前記中詰め材を充填し、前記開口部を閉じ、前記土木用袋体を載置場所へ載置し、前記載置場所へ載置した前記土木用袋体の上面の編み地に樹脂材を付与し、付与後、前記土木用袋体の上面が下になるように、前記載置場所へ載置し、載置後、載置した前記土木用袋体の上面の編み地に樹脂材を付与するものである。
【発明の効果】
【０００９】
請求項１記載の土木用袋体の製造方法によれば、土木用袋体の開口部を介して中詰め材を充填し、前記開口部を閉じ、前記土木用袋体を載置場所へ載置し、前記載置場所へ載置した前記土木用袋体の上面の編み地に樹脂材を付与するため、土木用袋体の編み地に予め樹脂材を付与したものに比べ、中詰め材の充填に伴う土木用袋体の編み地の変形を阻害せず、土木用袋体に中詰め材を効率良く充填でき、しかも、充填後、中詰め材が充填した土木用袋体を載置場所へ載置し、前記載置場所へ載置した前記土木用袋体の上面の編み地に樹脂材を付与するため、付与作業を簡易且つ迅速に行うことができ、加えて、土木用袋体の上面の編み地の強度が強くなり、例えば、土木用袋体の上面にバックホウ等の重機が乗って施工作業を行うことができる等の効果を有する。
【００１０】
また、請求項２記載の土木用袋体の製造方法によれば、土木用袋体の開口部を介して中詰め材を充填し、前記開口部を閉じ、前記土木用袋体を載置場所へ載置し、前記載置場所へ載置した前記土木用袋体の上面の編み地に樹脂材を付与するため、土木用袋体の編み地に予め樹脂材を付与したものに比べ、中詰め材の充填に伴う土木用袋体の編み地の変形を阻害せず、土木用袋体に中詰め材を効率良く充填でき、しかも、充填後、中詰め材が充填した土木用袋体を載置場所へ載置し、前記載置場所へ載置した前記土木用袋体の上面の編み地に樹脂材を付与し、付与後、前記土木用袋体の上面が下になるように、前記載置場所へ載置するため、土木用袋体の下面の付与作業を簡易且つ迅速に行うことができる等の効果を有する。
【００１１】
また、請求項３記載の土木用袋体の製造方法によれば、土木用袋体の開口部を介して中詰め材を充填し、前記開口部を閉じ、前記土木用袋体を載置場所へ載置し、前記載置場所へ載置した前記土木用袋体の上面の編み地に樹脂材を付与するため、土木用袋体の編み地に予め樹脂材を付与したものに比べ、中詰め材の充填に伴う土木用袋体の編み地の変形を阻害せず、土木用袋体に中詰め材を効率良く充填でき、しかも、充填後、中詰め材が充填した土木用袋体を載置場所へ載置し、前記載置場所へ載置した前記土木用袋体の上面の編み地に樹脂材を付与し、付与後、前記土木用袋体の上面が下になるように、前記載置場所へ載置するため、土木用袋体の下面の付与作業を簡易且つ迅速に行うことができ、加えて、土木用袋体の上面の編み地の強度が強くなり、例えば、土木用袋体の上面にバックホウ等の重機が乗って施工作業を行うことができる等の効果を有する。
【図面の簡単な説明】
【００１２】
【図１】図１は、本発明の一実施例の土木用袋体の製造方法に用いられる中詰め材を充填した土木用袋体の写真である。
【図２】図２は、図１の土木用袋体の一部を拡大して示す写真である。
【図３】図３は、図３の上面に樹脂材が付与された土木用袋体の一部を拡大して示す写真である。
【発明を実施するための形態】
【００１３】
本発明の一実施例の土木用袋体の製造方法を図面を参照して説明する。
（実施例１）
図１に示すＤは、中詰め材１を充填して製造された土木用袋体（図１参照）で、この土木用袋体Ｄは、例えば、人工リーフの下部、突堤・離岸堤の下部、護岸の根固め工等に使用されるものである。
また、中詰め材１（図２参照）、例えば、砂利石、石材、玉石、割栗石、砕石、栗石、コンクリートガラ等である。
土木用袋体Ｄの大きさは、例えば、縦  約１０ｍ、横  約２ｍ、高さ  約０．２５ｍの略直方体形状である。
土木用袋体Ｄの材料は、例えば、ポリエステル繊維、再生ポリエステル繊維等である。
【００１４】
先ず、土木用袋体Ｄの開口部（図示せず）を介して中詰め材１を充填し、開口部（図示せず）を閉じる。なお、この開口部（図示せず）は、例えば、口縛りロープ（図示せず）を用いて閉じるようにする。そして、土木用袋体Ｄを載置場所２へクレーン等の重機を使って載置し、載置場所２へ載置した土木用袋体Ｄの上面Ｄ１の編み地に樹脂材３を付与する（図３参照）。
なお、載置場所２は、施工場所、施工場所に設置する前の仮置き場等である。
樹脂材３は、例えば、ポリウレア、ポリウレタンで、望ましくは、ポリウレアであり、ポリウレアの場合、イソシアネートとアミンの２液を反応させて、ウレア結合を生成したポリウレアを用いる。
樹脂材３の付与手段、スプレーガンによる吹き付け、ブラシによる塗布で、土木用袋体Ｄの上面Ｄ１の編み地の略全体に亘って、樹脂材３を付与する。場合により、土木用袋体Ｄの上面Ｄ１のみならず、編み地の側面を略全体に亘って、樹脂材３を付与するようにしても良い。樹脂材３の編み地への付与量は、例えば、約２００重量％ 〜約３００重量％ である。
【００１５】
従って、上述した土木用袋体の製造方法によれば、土木用袋体Ｄの開口部（図示せず）を介して中詰め材１を充填し、開口部（図示せず）を閉じ、土木用袋体Ｄを載置場所２へ載置し、載置場所２へ載置した土木用袋体Ｄの上面Ｄ１の編み地に樹脂材３を付与するため、土木用袋体Ｄの編み地に予め樹脂材３を付与したものに比べ、中詰め材１の充填に伴う土木用袋体Ｄの編み地の変形を阻害せず、土木用袋体Ｄに中詰め材１を効率良く充填でき、しかも、充填後、中詰め材１が充填した土木用袋体Ｄを載置場所２へ載置し、載置場所２へ載置した土木用袋体Ｄの上面Ｄ１の編み地に樹脂材３を付与するから、付与作業を簡易且つ迅速に行うことができ、加えて、土木用袋体Ｄの上面Ｄ１の編み地の強度が強くなり  、例えば、土木用袋体Ｄの上面Ｄ１にバックホウ等の重機が乗って施工作業を行うことができる等の効果を有する。
なお、実施例１においては、土木用袋体Ｄの開口部（図示せず）を介して中詰め材１を充填し、開口部（図示せず）を閉じ、土木用袋体Ｄを載置場所２へ載置し、載置場所２へ載置した土木用袋体Ｄの上面Ｄ１の編み地に樹脂材３を付与するが、付与後、土木用袋体Ｄの上面Ｄ１そのままの状態で、使用しても良いし、次の実施例２に述べるように、付与後、土木用袋体Ｄの上面Ｄ１が下になるように、載置場所２へ載置するようにしても良い。
【００１６】
（実施例２）
また、施工場所が、例えば、岩礁がある水底の場合、土木用袋体Ｄの下面の強度を図る必要がある。かかる場合の土木用袋体の製造方法について、以下説明する。
先ず、上述の実施例と同様に、土木用袋体Ｄの図示しない開口部を介して中詰め材１を充填し、図示しない開口部を閉じ（図示しない開口部は、例えば、図示しない口縛りロープを用いて閉じるようにする。）、土木用袋体Ｄを載置場所２へクレーン等の重機を使って載置し、載置場所２へ載置した土木用袋体Ｄの上面Ｄ１の編み地に樹脂材３を付与する。付与は、例えば、土木用袋体Ｄの上面Ｄ１の編み地の略全体に亘って、樹脂材３を付与する。
付与後、土木用袋体Ｄの上面が下になるように、クレーン等の重機を使って載置場所２へ載置することができる。なお、樹脂材３の編み地への付与量は、上述の実施例１と同様、例えば、約２００重量％ 〜約３００重量％ である。
【００１７】
その結果、上述した土木用袋体の製造方法によれば、土木用袋体Ｄの開口部（図示せず）を介して中詰め材１を充填し、開口部（図示せず）を閉じ、土木用袋体Ｄを載置場所２へ載置し、載置場所２へ載置した土木用袋体Ｄの上面Ｄ１の編み地に樹脂材３を付与するため、土木用袋体Ｄの編み地に予め樹脂材３を付与したものに比べ、中詰め材１の充填に伴う土木用袋体Ｄの編み地の変形を阻害せず、土木用袋体Ｄに中詰め材１を効率良く充填でき、しかも、充填後、中詰め材１が充填した土木用袋体Ｄを載置場所２へ載置し、載置場所２へ載置した土木用袋体Ｄの上面Ｄ１の編み地に樹脂材３を付与し、付与後、土木用袋体Ｄの上面Ｄ１が下になるように、載置場所２へ載置するため、土木用袋体Ｄの下面の付与作業を簡易且つ迅速に行うことができる等の効果を有する。
【００１８】
（実施例３）
上述した実施例においては、土木用袋体Ｄの上面Ｄ１の編み地に樹脂材３を付与（実施例１）、土木用袋体Ｄの下面の編み地に樹脂材３を付与（実施例２）したが、本願発明はこれに限らず、土木用袋体Ｄの上面Ｄ１及び下面の編み地に樹脂材３を付与するようにしても良い。付与は、例えば、土木用袋体Ｄの上面Ｄ１及び土木用袋体Ｄの下面の編み地の略全体に亘って、樹脂材３を付与する。
なお、場合により、土木用袋体Ｄの側面の略全体に亘って、樹脂材３を付与するようにしても良い。
即ち、上述の実施例と同様に、土木用袋体Ｄの開口部（図示せず）を介して中詰め材１を充填し、開口部（図示せず）を閉じ、土木用袋体Ｄを載置場所２へ載置し、載置場所２へ載置した土木用袋体Ｄの上面Ｄ１の編み地に樹脂材３を付与する。付与後、土木用袋体Ｄの上面Ｄ１が下になるように、載置場所２へ載置する。
載置後、載置した土木用袋体Ｄの上面Ｄ１の編み地に樹脂材３を付与する。
【００１９】
その結果、上述した土木用袋体の製造方法によれば、土木用袋体Ｄの開口部（図示せず）を介して中詰め材１を充填し、開口部（図示せず）を閉じ、土木用袋体Ｄを載置場所２へ載置し、載置場所２へ載置した土木用袋体Ｄの上面Ｄ１の編み地に樹脂材３を付与するため、土木用袋体Ｄの編み地に予め樹脂材３を付与したものに比べ、中詰め材１の充填に伴う土木用袋体Ｄの編み地の変形を阻害せず、土木用袋体Ｄに中詰め材１を効率良く充填でき、しかも、充填後、中詰め材１が充填した土木用袋体Ｄを載置場所２へ載置し、載置場所２へ載置した土木用袋体Ｄの上面Ｄ１の編み地に樹脂材３を付与し、付与後、土木用袋体Ｄの上面Ｄ１が下になるように、載置場所２へ載置するため、土木用袋体Ｄの下面の付与作業を簡易且つ迅速に行うことができ、加えて、土木用袋体Ｄの上面Ｄ１の編み地の強度が強くなり、例えば、土木用袋体Ｄの上面Ｄ１にバックホウ等の重機が乗って施工作業を行うことができる等の効果を有する。
【符号の説明】
【００２０】
Ｄ      土木用袋体
Ｄ１    上面
１      中詰め材
２      載置場所
３      樹脂材
【図１】
2019190135.tif 000003
【図２】
2019190135.tif 000004
【図３】
2019190135.tif 000005